(57)【要約】      （修正有）【課題】作業スペースが狭くても操作性を気にすることなくエルボ型ねじ込み継手等のねじ込み部品を効率よく短時間で所望の場所に取り付けることができるねじ込み部品取付専用工具を提供する。【解決手段】ねじ込み部品取付専用工具１０は、エルボ型ねじ込み継手の一対の平面部と係合する一対の係合面１１Ｃ’が内周面に形成され且つ反時計方向に回転する筒状の係合体１１と、係合体１１の底部に連結軸１２を介して連結され且つ係合体１１を反時計向にのみ回転させるラチェット機構１３と、ラチェット機構１３を収納する収納部１４を備える。さらに、ラチェット機構１３を介して係合体１１を操作するハンドル１５と、を備え、係合体１１の周面の一部に管体部が横方向から入り込む開口部１１Ｄが形成されている。【選択図】図１
0003176595.tif 000002
【実用新案登録請求の範囲】
【請求項１】
管体部の外周面に少なくとも互いに対向する一対の平面部を有するねじ込み部品を壁部の雌ねじ部に取り付け、または上記壁部から取り外すための工具であって、上記工具は、上記少なくとも一対の平面部と係合する少なくとも一対の係合面が内周面の一部として形成されて一方向に回転する筒状の係合体と、上記係合体の底部に連結軸を介して連結され且つ上記係合体を一方向に回転させるラチェット機構と、上記ラチェット機構を収納する収納部を有し且つ上記ラチェット機構を介して上記係合体を操作するハンドルと、を備え、上記係合体の周面の一部に、上記ねじ込み部品の管体部を横方向から受け入れるための開口部が形成されていることを特徴とするねじ込み部品取付専用工具。
【請求項２】
上記ねじ込み部品がエルボ型ねじ込み継手またはボルト、ナット部品であることを特徴とするねじ込み部品取付専用工具。
【考案の詳細な説明】
【技術分野】
【０００１】
本考案は、例えば各種の処理容器等のように処理空間が限られ、内部に部品を取り付ける作業空間が狭いところでねじ込み継手等のねじ込み部品を取り付ける場合に用いられるねじ込み部品取付専用工具に関するものである。
【背景技術】
【０００２】
遠心分離機等の濾過装置やその他の流体処理装置では、処理容器の内壁面に継手や配管部品等のねじ込み部品を取り付け、このねじ込み部品を介して処理容器内外に配管を接続することがある。例えば継手を処理容器に固定する時には、スパナやボックス型ラチェット式レンチ等のねじ込み部品取付専用工具を用いている。例えば作業空間の狭い処理容器の内壁面に図４に示すようなエルボ型ねじ込み継手を取り付けることがある。
【０００３】
エルボ型ねじ込み継手Ｃは、例えば図４に示すように、Ｌ字型の管体部Ｃ１と、管体部Ｃ１の両端から突出して形成された雄ねじ部Ｃ２、Ｃ３と、管体部Ｃ１の外周面の両側に形成された一対の平面部Ｃ４、Ｃ４とからなり、雄ねじ部Ｃ３にナットＮ等を介して配管（図示せず）を接続するようになっている。このエルボ型ねじ込み継手Ｃは、一方の雄ねじ部Ｃ２が処理容器等の内壁面Ｗに形成された雌ねじ部にねじ込まれ、他方の雄ねじ部Ｃ３にナットＮを介して配管が接続される。処理容器の内壁面で隣接するエルボ型ねじ込み継手を介して複数系列の配管が設けられる場合には、処理容器の内壁面に複数のエルボ型ねじ込み継手Ｃが取り付けられる。その場合、処理容器が大きく、取り付けのための十分な作業スペースがあれば、エルボ型ねじ込み継手Ｃが完全に固定されるまで図４に示すようにスパナＳの口部を何度かエルボ型ねじ込み継手Ｃの一対の面Ｃ４、Ｃ４に合わせ、その都度スパナＳによるねじ込み操作を繰り返してエルボ型ねじ込み継手Ｃを処理容器の内壁面Ｗの所望の位置に固定することができる。
【考案の概要】
【考案が解決しようとする課題】
【０００４】
しかしながら、エルボ型ねじ込み継手Ｃを取り付ける処理容器が比較的小さく、狭い作業環境でスパナを用いる時には、スパナＳがエルボ型ねじ込み継手Ｃの管体部Ｃ１の一対の平面部Ｃ４、Ｃ４に繰り返し合わせ直し、その都度スパナＳを旋回操作することになるが、スパナＳを旋回操作するスペースが狭いため、スパナＳによるエルボ型ねじ込み継手Ｃのねじ込み作業に多くの時間を割かざるを得なかった。また、スパナＳに代えてボックス型ラチェット式レンチ（図示せず）を使う場合には、ボックス型ラチェット式レンチのボックスをエルボ型ねじ込み継手Ｃの一対の平面部Ｃ４、Ｃ４に係合させることができず、この種のねじ込み部品取付専用工具を使用することができなかった。
【０００５】
本考案は、上記課題を解決するためになされたもので、作業スペースが狭くても操作性を気にすることなくねじ込み部品を効率よく短時間で所望の場所に取り付けることができるねじ込み部品取付専用工具を提供することを目的としている。
【課題を解決するための手段】
【０００６】
本考案の請求項１に記載のねじ込み部品取付専用工具は、管体部の外周面に少なくとも互いに対向する一対の平面部を有するねじ込み部品を壁部の雌ねじ部に取り付け、または上記壁部から取り外すための工具であって、上記工具は、上記少なくとも一対の平面部と係合する少なくとも一対の係合面が内周面の一部として形成されて一方向に回転する筒状の係合体と、上記係合体の底部に連結軸を介して連結され且つ上記係合体を一方向に回転させるラチェット機構と、上記ラチェット機構を収納する収納部を有し且つ上記ラチェット機構を介して上記係合体を操作するハンドルと、を備え、上記係合体の周面の一部に、上記ねじ込み部品の管体部を横方向から受け入れるための開口部が形成されていることを特徴とするものである。
【０００７】
また、本考案の請求項２に記載のねじ込み部品取付専用工具は、請求項１に記載の考案において、上記ねじ込み部品がエルボ型ねじ込み継手またはボルト、ナット部品であることを特徴とするものである。
【考案の効果】
【０００８】
本考案によれば、作業スペースが狭くても操作性を気にすることなくねじ込み部品を効率よく短時間で所望の場所に取り付けることができる
￥ねじ込み部品取付専用工具を提供することができる。
【図面の簡単な説明】
【０００９】
【図１】（ａ）、（ｂ）はそれぞれ本考案のねじ込み部品取付専用工具の一実施形態を示す図で、（ａ）はその平面図、（ｂ）はその一部を破断して示す側面図である。
【図２】（ａ）、（ｂ）はそれぞれ図1に示すねじ込み部品取付専用工具を用いてエルボ型ねじ込み継手を取り付ける状態を示す側面図である。
【図３】（ａ）、（ｂ）はそれぞれ図２に示す係合体の開口部と向きが異なるねじ込み部品取付専用工具を用いてエルボ型ねじ込み継手を取り付ける状態を示す側面図である。
【図４】従来のねじ込み部品取付専用工具の一例であるスパナを用いてエルボ型ねじ込み継手を取り付ける状態を示す側面図である。
【考案を実施するための形態】
【００１０】
本実施形態のねじ込み部品取付専用工具１０は、例えば図３に示すようなエルボ型ねじ込み継手Ｃを処理容器の内壁面Ｗの雌ねじ部（図示せず）に取り付け、または雌ねじ部から取り外すために用いられる。このねじ込み部品取付専用工具１０は、例えば図１の（ａ）、（ｂ）に示すように、エルボ型ねじ込み継手Ｃの一対の平面部と係合する筒状の係合体１１と、係合体１１の肉厚の底部の軸芯に連結軸１２を介して連結されたラチェット機構１３と、ラチェット機構１３を収納する収納部１４を先端部に有するハンドル１５と、を備えている。
【００１１】
係合体１１は、図１の（ａ）、（ｂ）に示すように、筒状に形成されてハンドル１５先端部の扁平な収納部１４の平面から垂直に突出し、ラチェット機構１３の働きで連結軸１２を介して時計方向（図１の（ａ）に矢印で示す方向）に回転するようになっている。筒状の係合体１１は、略上半分が筒状部１１Ａとして形成され、略下半分が底部１１Ｂとして形成されている。筒状部１１Ａの内周面には、正六角形の柱状空間を形成する６つの内壁面１１Ｃが形成されており、そのうちの連続する二つの内壁面１１Ｃが切除されて開口部１１Ｄとして形成されている。この開口部１１Ｄの左右両側で互いに平行をなして対向する一対の内壁面１１Ｃがエルボ型ねじ込み継手Ｃの一対の平面部Ｃ４と係合する一対の係合面１１Ｃ’として形成されている。
【００１２】
ラチェット機構１３は、図１の（ｂ）に示すように、ラチェット車１３Ａと、ラチェット車１３Ａに引っ掛かって回転駆動させる爪１３Ｂと、ラチェット車１３Ａの回転方向を切り換える切換レバー（図示せず）と、を備え、従来公知のラチェット機構として構成されている。このラチェット機構１３は、同図の（ａ）に示すように平面形状がダルマ型の収納部１４内に収納されている。ラチェット機構１３は、ハンドル１５が適宜の角度だけ時計方向へ旋回するとラチェット車１３に噛み込んだ爪１３Ｂの働きでラチェット車１３が時計方向へ回転し、連結軸１２を介して係合体１１を回転させるようになっている。また、ハンドル１５が逆向きの反時計方向へ旋回して元の位置まで戻ると爪１３Ｂがラチェット車１３の外周を滑ってハンドル１５だけが反時計方向へ回転する。このようにハンドル１５が時計方向への回転と反時計方向への回転を交互に繰り返すと、係合体１１がラチェット機構１３を介して時計方向へのみ間欠的に回転し、エルボ型ねじ込み継手Ｃが内壁面Ｗに締め付けられて固定される。
【００１３】
係合体１１は、上述のように連結軸１２を介してラチェット機構１３と連結されているため、ねじ込み部品取付専用工具１０を使用する場合には、係合体１１の開口部１１Ｄを横方向からエルボ型ねじ込み継手Ｃの管体部Ｃ１に被せると、係合体１１の一対の係合面１１Ｃ’が管体部Ｃ１の一対の平面部Ｃ４と係合する。この状態でハンドル１５を時計方向への回転と反時計方向への回転とを交互に繰り返すと時計方向にだけ間欠的に回転する係合体１１を介してエルボ型ねじ込み継手Ｃが内壁面Ｗにねじ込まれて固定される。逆に、エルボ型ねじ込み継手Ｃを取り外す場合には、切換レバーによってラチェット車１３Ａの回転方向を切り換えた後、上述の操作をしてエルボ型ねじ込み継手Ｃを逆方向に回転させて取り外す。
【００１４】
次に、図２の（ａ）、（ｂ）を参照しながらねじ込み部品取付専用工具１０の動作について説明する。
【００１５】
まず、エルボ型ねじ込み継手Ｃが例えば処理容器内の内側から内壁面Ｗに手でねじ込んで仮付けされる。この際、エルボ型ねじ込み継手Ｃが内壁面Ｗで互いに隣接して２個仮付けされる。隣接する２個のエルボ型ねじ込み継手Ｃ間の隙間は、スパナ等の取付専用工具が差し込める程度の隙間しかない。２個のエルボ型ねじ込み継手Ｃを仮付けした後、ねじ込み部品取付専用工具１０の係合体１１の開口部１１Ｄがエルボ型ねじ込み継手Ｃの管体部Ｃ１の一対の平面部Ｃ４の向きに合わされた状態で、図２の（ａ）に示すように係合体１１がエルボ型ねじ込み継手Ｃに近付けられる。
【００１６】
ねじ込み部品取付専用工具１０のハンドル操作により、係合体１１がエルボ型ねじ込み継手Ｃに横方向から接近し、開口部１１Ｄを介してエルボ型ねじ込み継手Ｃの管体部Ｃ１が係合体１１内に嵌り込み、図２の（ｂ）に示すように係合体１１の一対の係合面１１Ｃ’とエルボ型ねじ込み継手Ｃの一対の平面部Ｃ４とが係合する。この状態で図１の（ａ）で矢印で示す時計方向にハンドル１５が回転されて係合体１１が回転し、ハンドル１５が狭い作業空間で隣接するエルボ型ねじ込み継手Ｃの障害でそれ以上回転しなくなったらハンドル操作が止められて係合体１１によるエルボ型継手Ｃのねじ込みが止められる。
【００１７】
引き続き、ハンドル１５が反時計方向へ回転させられると、ハンドル１５が回転する間、ラチェット機構１３の爪１３Ｂが静止したラチェット車１３Ａの外周を滑って反時計方向へ回転し、ハンドルが１５が元の位置に戻って爪１３Ｂがラチェット車１３Ａに引っ掛かる。この時、係合体１１はラチェット車１３Ａと一緒に静止している。その後、ハンドル１５が時計方向へ回転させられると、ラチェット機構１３を介して係合体１１が時計方向へ回転してエルボ型ねじ込み継手Ｃの内壁面Ｗへのねじ込みが継続される。
【００１８】
上述のようにハンドル１５を繰り返し揺動させると、ハンドル１５が時計方向へ回転する度にエルボ型ねじ込み継手Ｃを内壁面Ｗへねじ込み、最終的にはエルボ型ねじ込み継手Ｃを内壁面Ｗに対してしっかりと固定することができる。
【００１９】
上述のようにハンドル１５が繰り返し揺動させられると、ハンドル１５が時計方向へ回転する度に係合体１１を介してエルボ型ねじ込み継手Ｃが内壁面Ｗへねじ込められ、最終的にはエルボ型ねじ込み継手Ｃが内壁面Ｗにしっかりと固定される。エルボ型ねじ込み継手Ｃが内壁面Ｗに固定されると、ねじ込み部品取付専用工具１０をエルボ型ねじ込み継手Ｃから外し、もう一つのエルボ型ねじ込み継手Ｃが内壁面Ｗへ固定される。
【００２０】
図２の（ａ）、（ｂ）では係合体１１の開口部がハンドル１５の軸方向と直交する方向を向いている場合について説明したが、開口部１１Ｄはエルボ型ねじ込み継手Ｃの一対の平面部Ｃ４の向きに応じて向きを変えることができる。例えば図３の（ａ）、（ｂ）では、係合体１１の開口部１１Ｄがハンドル１５の方を向く下向きになっている。この場合には、図３の（ａ）、（ｂ）に示すようにハンドル１５を垂直にし、そのままハンドル１５を降ろして下向きの開口部１１Ｄをエルボ型ねじ込み継手Ｃの管体部Ｃ１に被せ、係合体１１の一対の係合面と管体部Ｃ１の一対の平面部Ｃ４を係合させる。その後、ハンドル１５を係合体１１を中心に何回か揺動させて内壁面Ｗにエルボ型ねじ込み継手Ｃをねじ込んで固定する。
【００２１】
以上説明したように本実施形態のねじ込み部品取付専用工具１０によれば、エルボ型ねじ込み継手Ｃの一対の平面部Ｃ４と係合する一対の係合面１１Ｃ’が内周面に形成され且つ反時計方向に回転する筒状の係合体１１と、係合体１１の底部に連結軸１２を介して連結され且つ係合体１１を時計向にのみ回転させるラチェット機構１３と、ラチェット機構１３を収納する収納部１４を有し且つラチェット機構１３を介して係合体１１を操作するハンドル１５と、を備え、一対の係合面１１Ｃ’と一対の平面部Ｃ４とを係合させる際に管体部Ｃ１が入り込む開口部１１Ｄが係合体１１の周面の一部を切欠いて形成されているため、処理容器内のねじ込み部品取付専用工具１０による作業スペースが狭く、隣に他のエルボ型ねじ込み継手Ｃのような障害物があってもラチェット機構１３の働きでハンドル１５を係合体１１を中心に繰り返し揺動させるだけでエルボ型ねじ込み継手Ｃを効率よく短時間で処理容器内の内壁面Ｗに取り付けることができる
【００２２】
本考案は、上記実施形態に何ら制限されるものではなく、各構成要素を適宜設計変更することができる。例えば、上記実施形態では、係合体１１の係合面１１Ｃ’として正六角形を呈する柱状空間を形成する内壁面１１Ｃのうち互いに対向する一対の内壁面１１Ｃを一対の係合面１１Ｃ’として利用することを例に挙げて説明したが、残りの二つの内壁面１１Ｃはなくても良い。要は、ねじ込み部品の互いに対向する一対の平面部と係合する少なくとも互いに対向する一対の係合面があれば良い。本考案のねじ込み部品取付専用工具は、狭い空間内でボルト、ナット等のねじ込み部品を締結し、取り外す場合にも適用することができる。また、係合体は、ボックス型ラチェット式レンチのボックスの一部を切欠いて形成されているが、このようなタイプに制限されるものではない。また、ラチェット機構は、爪式の他、ピン式やカム式等も用いることができる。
【産業上の利用可能性】
【００２３】
本考案のねじ込み部品取付専用工具は、エルボ型ねじ込み継手等のようにねじ込み継手を取り付ける工具として広範囲に適用することができる。
【符号の説明】
【００２４】
１０    ねじ込み部品取付専用工具
１１    係合体
１１Ｃ’係合面
１１Ｄ  開口部
１２    連結軸
１３    ラチェット機構
１４    収納部
１５    ハンドル
【図１】
0003176595.tif 000003
【図２】
0003176595.tif 000004
【図３】
0003176595.tif 000005
【図４】
0003176595.tif 000006
【手続補正書】
【提出日】平成24年4月12日(2012.4.12)
【手続補正１】
【補正対象書類名】実用新案登録請求の範囲
【補正対象項目名】請求項２
【補正方法】変更
【補正の内容】
【請求項２】
上記ねじ込み部品がエルボ型ねじ込み継手またはボルト、ナット部品であることを特徴とする請求項１に記載のねじ込み部品取付専用工具。